(57)【要約】　　　（修正有）【課題】有害物質の酸化、抗菌及び空気浄化の特性を具備した光触媒装置の提供。【解決手段】バルブが取り付けられたバルブシートを具えた光触媒装置において、該バルブシートの外部にネジ部が設けられ、該ネジ部に管体が対応し螺設され、該管体の内面と外面に二酸化チタン（ＴｉＯ２）が塗装され、該二酸化チタン（ＴｉＯ２）がバルブの発生する熱に励起されて触媒作用を発生し、殺菌、除臭の機能を達成し、空気を再生させることを特徴とする。【選択図】　　　　図２
0003098059.tif 000002
【実用新案登録請求の範囲】
【請求項１】
バルブが設置されるバルブシートを具えた光触媒装置において、該バルブシートの外縁にネジ部が設けられ、該ネジ部に管体が対応し螺設され、該管体の内面と外面に二酸化チタンが塗装され、該二酸化チタンがバルブの発生する熱により励起されて触媒作用を発生し、滅菌、除臭の機能を達成して空気を再生させることを特徴とする、光触媒装置。
【請求項２】
請求項１記載の光触媒装置において、管体が硬質或いは軟質のプラスチックで形成されたことを特徴とする、光触媒装置。
【請求項３】
請求項１記載の光触媒装置において、管体の両端内周に雌ネジが設けられて発光、発熱する構造の組み付けに供されたことを特徴とする、光触媒装置。
【請求項４】
請求項１記載の光触媒装置において、管体の表面に均一に複数の穿孔が設けられたことを特徴とする、光触媒装置。
【請求項５】
請求項１記載の光触媒装置において、バルブの発生する光の波長が３６２ｎｍ〜３６５ｎｍとされたことを特徴とする、光触媒装置。
【請求項６】
請求項１記載の光触媒装置において、該光触媒装置が電器、家電製品に取り付けられたことを特徴とする、光触媒装置。
【考案の詳細な説明】
【０００１】
【考案の属する技術分野】
本考案は一種の光触媒装置に係り、特に、バルブの発生する熱、波長で二酸化チタン（ＴｉＯ２　）に触媒作用を発生させるようにした装置に関する。
【０００２】
【従来の技術】
光触媒は無毒性環境保護製品であり、その有する強大な水酸自由酸化能力により光触媒は有害物質の酸化、抗菌、除臭、防黴、自浄及び空気浄化の特性を具備し、二酸化チタンが光或いは照明光源中の紫外線を吸収した後に生成する水酸自由基と空気中の有機物質が反応して無毒の物質となす。脱臭に運用されると、それは有機物質、有害気体の分解を加速し、空気清浄効率をかめる。
【０００３】
二酸化チタンの強大な酸化能力は空気中に浮遊する細菌を殺し、ウイルスの活性を抑制する。二酸化チタンの空気清浄の殺菌能力は９９．９９９％に達する。
【０００４】
今日、生活環境の変化により人々が密閉空間で生活する時間が長くなり、密閉空間には千種類以上の発癌性物質が含まれている。現在使用されているエアコン設備はすでにある汚染伝染源を分解できず、且つオフィス或いは家での流行性感冒の伝染は相当に容易である。このため光触媒をコンピュータのケース中に運用すれば、ウィルス、細菌を除去でき、室内空気を浄化して空気品質を高めることができる。
【０００５】
【考案が解決しようとする課題】
本考案の主要な目的は、一種の光触媒装置を提供することにあり、それは、単独で使用されるほか、各種の電器、家電製品に取り付けられ、バルブの発生する熱、波長と二酸化チタンが励起されて発生する触媒作用により、滅菌及び除臭を達成するものとする。
【０００６】
本考案はまたバルブが取り付けられるバルブシートを具えた一種の光触媒装置を提供することを目的とし、それは、バルブシートの外縁にネジ部が設けられ、該ネジ部に管体が対応して螺設され、該管体の内側と外側面に二酸化チタン（ＴｉＯ２　）が塗装され、二酸化チタン（ＴｉＯ２　）がバルブの発生する熱により励起されて触媒作用を発生し、滅菌、除臭の機能を達成し、並びに空気を再生させるものとする。
【０００７】
【課題を解決するための手段】
請求項１の考案は、バルブが設置されるバルブシートを具えた光触媒装置において、該バルブシートの外縁にネジ部が設けられ、該ネジ部に管体が対応し螺設され、該管体の内面と外面に二酸化チタンが塗装され、該二酸化チタンがバルブの発生する熱により励起されて触媒作用を発生し、滅菌、除臭の機能を達成して空気を再生させることを特徴とする、光触媒装置としている。
請求項２の考案は、請求項１記載の光触媒装置において、管体が硬質或いは軟質のプラスチックで形成されたことを特徴とする、光触媒装置としている。
請求項３の考案は、請求項１記載の光触媒装置において、管体の両端内周に雌ネジが設けられて発光、発熱する構造の組み付けに供されたことを特徴とする、光触媒装置としている。
請求項４の考案は、請求項１記載の光触媒装置において、管体の表面に均一に複数の穿孔が設けられたことを特徴とする、光触媒装置としている。
請求項５の考案は、請求項１記載の光触媒装置において、バルブの発生する光の波長が３６２ｎｍ〜３６５ｎｍとされたことを特徴とする、光触媒装置としている。
請求項６の考案は、請求項１記載の光触媒装置において、該光触媒装置が電器、家電製品に取り付けられたことを特徴とする、光触媒装置としている。
【０００８】
【考案の実施の形態】
図１、２は本考案の分解斜視図及びその組合せ図である。本考案は一種の光触媒装置Ａであり、それは、バルブシート１、バルブ２、管体３及び二酸化チタン４を具えている。
【０００９】
該バルブシート１の中央部分に凹溝が設けられて、該凹溝の周縁に雌ネジ１１が設けられ、該雌ネジ１１にバルブ２が対応し螺設される。該バルブシート１の外周にはネジ部１２が形成され、該バルブシート１の底面に電線１３が連設されている。
【００１０】
該バルブ２の発生する波長は３６２ｎｍ〜３６５ｎｍとされる。
【００１１】
該管体３の内径はバルブシート１の外径に合わせて設けられ、該管体３の一端の内周に雌ネジ３１が設けられ、該管体３の内面と外面に二酸化チタン４が塗装されている。
【００１２】
組立時には、バルブ２がバルブシート１の中央の凹溝周縁の雌ネジ１１に螺合され、さらに二酸化チタン４が塗装された管体３の一端の雌ネジ３１がバルブシート１の外周に形成されたネジ部１２に螺設され、光触媒装置Ａの組立が完成する。
【００１３】
使用者が本考案の光触媒装置Ａを使用したい時は、まず電線１３を電源に差し込んで通電させて、バルブ２を発光させ、バルブ２の発生する熱、波長が管体３の内面と外面に塗装された二酸化チタン４を励起させて発生する触媒作用により、滅菌、除臭の機能を達成し、並びに光触媒の発生する各一つの小分子が空気中の微小な細菌、粉塵及び化学物質を吸着し、空気を再生させる効果を達成する。
【００１４】
図３は本考案の実施例１を示し、管体５は比較的硬質のプラスチックで形成され、該管体５の一端の内周に雌ネジ５１が設けられ、また管体５の表面に均一に若干の穿孔５２が設けられている。
【００１５】
また図４は本考案の実施例２を示し、その管体６が比較的軟質のプラスチックで形成され、該管体６の一端の内周に雌ネジ６１が設けられ、また管体５が蛇腹状６２の設計とされている。
【００１６】
図５、６は本考案の実施例３を示し、その管体６’は軟質のプラスチックで形成され、該管体６’の両端内周に雌ネジ６１’が設けられ、該雌ネジ６１’がバルブシート１の外周に形成されたネジ部１２に対応し螺設させ、該管体６’の両端それぞれにバルブ２が設けられる。管体６’は軟性のプラスチックで形成されるため、空間の大きさにより弾性的に湾曲し、湾曲が波形とされ得るか、或いは二股バルブに適用される。
【００１７】
【考案の効果】
総合すると、本考案は以下のような長所を有している。
１．本考案の光触媒装置は、熱と波長と二酸化チタンの発生する光触媒作用により、光触媒の発生する各小分子に空気中の微小な細菌、粉塵及び化学物質を吸着させて空気を再生させる効果を達成できる。
２．本考案の光触媒装置は各種の電器、家電製品に取り付けられるほか、単独でも使用できる。
３．本考案の光触媒装置は、管体が軟質のプラスチックで形成され得て、これにより空間の大きさにより弾性的に湾曲できる。
【００１８】
総合すると、本考案の構造、特徴は使用効果が良好な光触媒装置を提供し、それは確実に実用価値と進歩性を具え、その全体の組合せ及び空間形態は新規であり、公開されておらず、ゆえに実用新案登録の要件を満たしている。
なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案の分解斜視図である。
【図２】本考案の組合せ斜視図である。
【図３】本考案の第１実施例図である。
【図４】本考案の第２実施例図である。
【図５】本考案の第３実施例図である。
【図６】本考案の第４実施例図である。
【符号の説明】
Ａ　光触媒装置　　　　　１　バルブシート
１１　雌ネジ　　　　　　１２　ネジ部
１３　電線　　　　　　　２　バルブ
３　管体　　　　　　　　３１　雌ネジ
４　二酸化チタン
５　管体　　　　　　　　５１　雌ネジ
５２　穿孔
６　管体　　　　　　　　６１　雌ネジ
６２　蛇腹状
６’　管体　　　　　　　６１’　雌ネジ
【図１】
0003098059.tif 000003
【図２】
0003098059.tif 000004
【図３】
0003098059.tif 000005
【図４】
0003098059.tif 000006
【図５】
0003098059.tif 000007
【図６】
0003098059.tif 000008